【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
複数の映像入力部で得られた映像を画面に表示する映像表示装置であって、
少なくとも一つの映像部を含む複数の映像入力部で得られた複数の映像を、一画面内に複数画面で表示する画面表示部と、
前記複数の映像入力部のうち、撮像部がパンまたはチルト動作をしている場合、前記画面表示部においてパンまたはチルト動作をしている撮像部で撮影された映像が表示される画面の更新頻度を、他の映像入力部からの映像が表示される画面の更新頻度に比べて高くする表示映像品質制御部と、
を備える映像表示装置。
【請求項２】
請求項１記載の映像表示装置であって、
前記複数の映像入力部の中から、撮像部がパンまたはチルト動作をしているか否かを判別する制御対象判別部と、
前記撮像部がパンまたはチルト動作をしなくなってから所定時間が経過したかを判別する制御時間判別部とを備え、
前記表示映像品質制御部は、前記所定時間が経過した場合、前記画面表示部においてパンまたはチルト動作をしなくなった撮像部に対応する画面の更新頻度を元の更新頻度に戻す映像表示装置。
【請求項３】
請求項１または２に記載の映像表示装置であって、
前記表示映像品質制御部は、パンまたはチルト動作をしている撮像部から配信される映像データの配信フレームレートを上げ、前記他の映像入力部から配信される映像データの配信フレームレートを下げるようにする映像表示装置。
【請求項４】
請求項１または２に記載の映像表示装置であって、
前記表示映像品質制御部は、パンまたはチルト動作をしている撮像部で符号化された映像データを復号化する際の複合化フレームレートを上げ、前記他の映像入力部で映像データを復号化する際の複合化フレームレートを下げるようにする映像表示装置。
【請求項５】
請求項１または２に記載の映像表示装置であって、
前記表示映像品質制御部は、パンまたはチルト動作をしている撮像部からの映像データを用いて描画する際の描画フレームレートを上げ、前記他の映像入力部からの映像データを用いて描画する際の描画フレームレートを下げるようにする映像表示装置。
【請求項６】
請求項１または２に記載の映像表示装置であって、
前記表示映像品質制御部は、パンまたはチルト動作をしている撮像部で撮像された映像が表示される画面の更新頻度を高くするとともに、パンまたはチルト動作をしている撮像部から配信される映像データの画質を前記他の映像入力部から配信される映像データの画質に比べて高くする映像表示装置。
【請求項７】
請求項１、２または６のいずれかに記載の映像表示装置であって、
前記表示映像品質制御部は、パンまたはチルト動作をしている撮像部から配信される映像データの配信フレームレート、前記映像データを復号化する際の復号化フレートレート、及び前記映像データを用いて描画する際の描画フレームレートのうちの少なくとも２つを用いて、前記更新頻度を変更する映像表示装置。
【請求項８】
撮像部で撮影される映像を画面に表示する映像表示装置であって、
前記撮影部で得られた映像を表示する画面表示部と、
前記撮影部がパンまたはチルト動作をしているか否かを判別する制御対象判別部と、
前記撮像部がパンまたはチルト動作をしている場合、前記画面表示部において撮像部で撮影された映像が表示される画面の更新頻度をパンまたはチルト動作をしていない場合の前記画面の更新頻度に比べて高くする表示映像品質制御部と、
を備える映像表示装置。
【請求項９】
複数の映像入力部で得られた映像を画面に表示する際の映像表示方法であって、
少なくとも一つの撮像部を含む複数の映像入力部で得られた複数の映像を、画面表示部において一画面内に複数画面で表示する画面表示ステップと、
前記複数の映像入力部の中から、パンまたはチルト動作をしている撮像部があるか否かを判別する制御対象判別ステップと、
前記複数の映像入力部のうち、パンまたはチルト動作をしている撮像部がある場合、前記画面表示部においてパンまたはチルト動作をしている撮像部で撮影された映像が表示される画面の更新頻度を、他の映像入力部からの映像が表示される画像の更新頻度に比べて高くする表示映像品質制御ステップと、
を有する映像表示方法。
【請求項１０】
少なくとも一つの撮像部を含む複数の映像入力部と接続され、前記複数の映像入力部で得られた映像データを用いて表示装置に映像を表示させる情報処理装置であって、
前記撮像部を含む複数の映像入力部で得られた複数の映像を、前記表示装置において一画面内に複数画面で表示する画面表示部と、
前記複数の映像入力部の中から、パンまたはチルト動作をしている撮像部があるか否かを判別する制御対象判別部と、
前記複数の映像入力部のうち、パンまたはチルト動作をしている撮像部がある場合、前記表示装置においてパンまたはチルト動作をしている撮像部で撮影された映像が表示される画面の更新頻度を、他の映像入力部からの映像が表示される画面の更新頻度に比べて高くする表示映像品質制御部と、
を備える情報処理装置。
【請求項１１】
コンピュータを、請求項１〜８のいずれかに記載の映像表示装置の各手段として機能させるためのプログラム。
【手続補正２】
【補正対象書類名】明細書
【補正対象項目名】０００８
【補正方法】変更
【補正の内容】
【０００８】
本発明の映像表示装置は、複数の映像入力部で得られた映像を画面に表示する映像表示装置であって、少なくとも一つの撮像部を含む複数の映像入力部で得られた複数の映像を、一画面内に複数画面で表示する画面表示部と、前記複数の映像入力部のうち、撮像部がパンまたはチルト動作をしている場合、前記画面表示部においてパンまたはチルト動作をしている撮像部で撮影された映像が表示される画面の更新頻度を、他の映像入力部からの映像が表示される画面の更新頻度に比べて高くする表示映像品質制御部と、を備えるものである。
これにより、複数の映像入力部で得られた映像を一画面内に複数画面で表示する際、複数の映像入力部において、撮像部が例えば撮像領域や画角等を調整するパンまたはチルト動作をしている場合、その撮像部に対応する画面の品質を他と比べて高くすることができ、撮像部に対してパン・チルト等の操作を行う際に、その操作性を向上することが可能となる。
【手続補正３】
【補正対象書類名】明細書
【補正対象項目名】０００９
【補正方法】変更
【補正の内容】
【０００９】
また、本発明は、上記の映像表示装置であって、前記複数の映像入力部の中から、撮像部がパンまたはチルト動作をしているか否かを判別する制御対象判別部と、前記撮像部がパンまたはチルト動作をしなくなってから所定時間が経過したか否かを判別する制御時間判別部とを備え、前記表示映像品質制御部は、前記所定時間が経過した場合、前記画面表示部においてパンまたはチルト動作をしなくなった撮像部に対応する画面の更新頻度を元の更新頻度に戻すものを含む。
これにより、パンまたはチルト動作をしなくなった撮像部に対応する画面の更新頻度を元に戻すことで、各表示画面の品質を自動的に元の状態に戻すことができ、状況に応じた使い勝手を向上させることが可能となる。
【手続補正４】
【補正対象書類名】明細書
【補正対象項目名】００１０
【補正方法】変更
【補正の内容】
【００１０】
また、本発明は、上記の映像表示装置であって、前記表示映像品質制御部は、パンまたはチルト動作をしている撮像部から配信される映像データの配信フレームレートを上げ、前記他の映像入力部から配信される映像データの配信フレームレートを下げるようにするものを含む。
これにより、パンまたはチルト動作をしている撮像部に対応する画面について、画面の更新頻度を変更し、画面の品質を調整することが可能となる。このとき、配信するネットワーク等の伝送路の伝送容量に制限がある場合等でも、伝送容量内で目的の制御対象の画面の品質を高くし、複数の表示画面を適切に調整することが可能である。
【手続補正５】
【補正対象書類名】明細書
【補正対象項目名】００１１
【補正方法】変更
【補正の内容】
【００１１】
また、本発明は、上記の映像表示装置であって、前記表示映像品質制御部は、パンまたはチルト動作をしている撮像部で符号化された映像データを復号化する際の復号化フレームレートを上げ、前記他の映像入力部で符号化された映像データを復号化する際の復号化フレームレートを下げるようにするものを含む。
これにより、制御対象の撮像部に対応する画面について、画面の更新頻度を変更し、画面の品質を調整することが可能となる。このとき、表示映像品質制御部は撮像部との通信が不要であるので、ネットワーク等の伝送路の構成に関わらず、容易に実現可能である。また、伝送路の伝送容量を軽減できる、マルチキャストのような１対多通信の場合に有効である。
【手続補正６】
【補正対象書類名】明細書
【補正対象項目名】００１２
【補正方法】変更
【補正の内容】
【００１２】
また、本発明は、上記の映像表示装置であって、前記表示映像品質制御部は、パンまたはチルト動作をしている撮像部からの映像データを用いて描画する際の描画フレームレートを上げ、前記他の映像入力部からの映像データを用いて描画する際の描画フレームレートを下げるようにするものを含む。
これにより、パンまたはチルト動作をしている撮像部に対応する画面について、画面の更新頻度を変更し、画面の品質を調整することが可能となる。このとき、表示映像品質制御部は撮像部との通信が不要であるので、ネットワーク等の伝送路の構成に関わらず、容易に実現可能である。また、伝送路の伝送容量を軽減できる、マルチキャストのような１対多通信の場合に有効である。
【手続補正７】
【補正対象書類名】明細書
【補正対象項目名】００１３
【補正方法】変更
【補正の内容】
【００１３】
また、本発明は、上記の映像表示装置であって、前記表示映像品質制御部は、パンまたはチルト動作をしている撮像部で撮影された映像が表示される画面の更新頻度を高くするとともに、前記制御対象である撮像部から配信される映像データの画質を前記他の映像入力部から配信される映像データの画質に比べて高くするものを含む。
これにより、画面の更新頻度を高くするのに加えて、例えば圧縮率等の符号化効率、画像の解像度、ピントなどを調節することで画質を良くすることによって、制御対象の撮像部に対応する画面をより鮮明にすることができ、操作性をより一層向上可能となる。
【手続補正８】
【補正対象書類名】明細書
【補正対象項目名】００１４
【補正方法】変更
【補正の内容】
【００１４】
また、本発明は、上記の映像表示装置であって、前記表示映像品質制御部は、パンまたはチルト動作をしている撮像部から配信される映像データの配信フレームレート、前記映像データを復号化する際の復号化フレームレート、及び前記映像データを用いて描画する際の描画フレームレートのうちの少なくとも２つを用いて、前記更新頻度を変更するものを含む。
これにより、各種フレームレートの変更を任意に組み合わせることで、制御対象である撮像部に対応する画面の更新頻度を変更する際の自由度を増すことができる。
【手続補正９】
【補正対象書類名】明細書
【補正対象項目名】００１５
【補正方法】変更
【補正の内容】
【００１５】
本発明の映像表示装置は、撮像部で撮影される映像を画面に表示する映像表示装置であって、前記撮像部で得られた映像を表示する画面表示部と、前記撮像部がパンまたはチルト動作をしているか否かを判別する制御対象判別部と、前記撮像部がパンまたはチルト動作をしている場合、前記画面表示部における前記撮像部で撮影された映像が表示される画面の更新頻度を、パンまたはチルト動作をしていない場合の前記画面の更新頻度に比べて高くする表示映像品質制御部と、を備えるものである。
これにより、パンまたはチルト動作をしているときの撮像部で得られた映像が表示される画面の更新頻度を、パンまたはチルト動作をしていない場合の画面の更新頻度よりも高くすることができ、撮像部制御時の操作性を向上することが可能となる。
【手続補正１０】
【補正対象書類名】明細書
【補正対象項目名】００１６
【補正方法】変更
【補正の内容】
【００１６】
本発明の映像表示方法は、複数の映像入力部で得られた映像を画面に表示する際の映像表示方法であって、少なくとも一つの撮像部を含む複数の映像入力部で得られた複数の映像を、画面表示部において一画面内に複数画面で表示する画面表示ステップと、前記複数の映像入力部の中から、パンまたはチルト動作をしている撮像部があるか否かを判別する制御対象判別ステップと、前記複数の映像入力部のうち、パンまたはチルト動作をしている撮像部がある場合、前記画面表示部においてパンまたはチルト動作をしている撮像部で撮影された映像が表示される画面の更新頻度を、他の映像入力部からの映像が表示される画面の更新頻度に比べて高くする表示映像品質制御ステップと、を有するものである。
【手続補正１１】
【補正対象書類名】明細書
【補正対象項目名】００１７
【補正方法】変更
【補正の内容】
【００１７】
本発明の情報処理装置は、少なくとも一つの撮像部を含む複数の映像入力部と接続され、前記複数の映像入力部で得られた映像データを用いて表示装置に映像を表示させる情報処理装置であって、前記撮像部を含む複数の映像入力部で得られた複数の映像を、前記表示装置において一画面内に複数画面で表示する画面表示部と、前記複数の映像入力部の中から、パンまたはチルト動作をしている撮像部があるか否かを判別する制御対象判別部と、前記複数の映像入力部のうち、パンまたはチルト動作をしている撮像部がある場合、前記表示装置におけるパンまたはチルト動作をしている撮像部で撮影された映像が表示される画面の更新頻度を、他の映像入力部からの映像が表示される画面の更新頻度に比べて高くする表示映像品質制御部と、を備えるものである。